(57)【要約】 【課題】  本発明は、お茶、コーヒーのような飲料用液体を入れて販売に供するためのペットボトルのキャップ部分に装着することにより、アクセサリー、模型、お菓子のような小物商品を「おまけ」として収容しておくための新規な「ペットボトルキャップに装着される販促品収容用容器」を提供するものである。【解決手段】  容体部Ａに対して蓋体Ｂを装着した状態で容体部ＡをキャップＣ部分に対してスナップ的に嵌着させ、飲用に際する容体部Ａの取り外しに際しては、蓋体Ｂを回動させてこれを取外すことにより、容体部Ａの上記スナップ的嵌着力が緩和されて、その取り外しの容易性が図られるように構成したペットボトルキャップに装着される販促品収容用容器。【選択図】  図１
2010013138.tif 000002
【特許請求の範囲】
【請求項１】
中心部分にペットボトルのキャップ(Ｃ)部分の下端縁をスナップ的に受け入れるための所要数の縦割り状内周筒形成壁(２)を設けた容体部(Ａ)と、当該容体部(Ａ)の上面に着脱自在に取付けるための蓋体(Ｂ)とから成り、当該容体部(Ａ)に対して蓋体(Ｂ)を締着固定した状態にあっては、容体部(Ａ)に設けた上記縦割り状内周筒形成壁(２)の背面側に、蓋体(Ｂ)側に設けた抑止片(４)が擦り合わせ的に合致接触し、これにより、当該縦割り状内周筒形成壁(２)の外方向への反りを規制してキャップ(Ｃ)部分の下端縁に対するスナップ的嵌着の強力化を図り、当該蓋体(Ｂ)を回動させてその締着固定を解消した状態にあっては、上記した抑止片(４)による擦り合わせ的な合致接触を解除させて、容体部(Ａ)の上記スナップ的嵌着を緩和させることによって、容体部(Ａ)の取り外しの容易化が図られるように構成したペットボトルキャップに装着される販促品収容用容器。
【請求項２】
キャップ(Ｃ)部分の下端縁に対するスナップ的受け入れを行うための内向き鈎状部(2ｃ)を下端に形成した所要数の縦割り状内周筒形成壁(２)を、筒状容体(1)の中心部に形成支持すると共に、当該縦割り状内周筒形成壁(２)の上端部側方に、外向き方向に向かって連設した受け片(2ｅ)を形成して成る容体部(Ａ)と、
前記した筒状容体(１)の外周と合致する外周寸法を具えた盤体(３)の内縁に、当該容体部(Ａ)における縦割り状内周筒形成壁(２)と対応するような形態で係合用凹部(3ａ)形成すると共に、当該係合用凹部(3ａ)の半部には、当該容体部(Ａ)における受け片(2ｅ)の下面側に突入させて係止させるための係止片(3ｂ)を連設し、更に、当該係止片(3ｂ)の前端縁に連なるように抑止片(４ )を垂設して成る蓋体(Ｂ)とを具え、
容体部(Ａ)に対して蓋体(Ｂ)を締着固定するために、蓋体(Ｂ)に設けた各係止片(3ｂ)を容体部(Ａ)に設けた受け片(2ｅ)の下面側に突入させるように蓋体(Ｂ)を回動させた際、上記抑止片(４)が容体部(Ａ)に設けた各縦割り状内周筒形成壁(２)の背面側に擦り合わせ的に合致接触して、夫々の内周筒形成壁(２)に対する外側方向への反り阻止を図ることにより、ペットボトルのキャップ(Ｃ)部分の下端縁に対するスナップ的係合の強化が図られるように構成したペットボトルキャップに装着される販促品収容用容器。
【請求項３】
縦割り状内周筒形成壁(２)の上縁の一半部にブリッジ片(2ｄ)の一端を連設すると共に、当該ブリッジ片(2ｄ)の他端を、筒状容体(１)の上縁に対して連設することにより、当該縦割り状内周筒形成壁(２)を筒状容体(１)の中心部に固定するように構成した請求項１又は請求項２の何れかに記載のペットボトルキャップに装着される販促品収容用容器。
【請求項４】
キャップ(Ｃ)部分の下端縁をスナップ的に受け入れるための内向き鈎状部(2ａ)を、上縁はキャップ(Ｃ)部分の下縁を係止するに適した顎状水平面(2ｂ)とすると共に、その内周面は上記スナップ的受入を容易化するために内向き斜状縁(2ｃ)とするように構成した請求項１乃至請求項３の何れかに記載のペットボトルキャップに装着される販促品収容用容器。
【請求項５】
スナップ的受入に際する縦割り状内周筒形成壁(２)の外方への反り及び復元という動きを生じさせるために、当該縦割り状内周筒形成壁(２)を連設する容体部(Ａ)全体を弾力性のある合成樹脂材料で形成するように構成した請求項１乃至請求項４の何れかに記載のペットボトルキャップに装着される販促品収容用容器。
【請求項６】
係合用凹部(3ａ)の一半部に、容体部(Ａ)における受け片(2ｅ)の下面側に突入させて係止させるための係止片(3ｂ)を連設し、当該係合用凹部(3ａ)の他半部の空間部分は、容体Ａ側に設けた受け片(2ｅ)部分を受け入れて、当該係止片(3ｂ)の突入係止の待ち受け状態に安定させるように構成した請求項１乃至請求項５の何れかに記載のペットボトルキャップに装着される販促品収容用容器。
【請求項７】
係止片(3ｂ)の先端には、受け片(2ｅ)の内側に対する突入の円滑化を図るための上向き斜状のテーパー縁(3ｃ)を形成すると共に、当該係止片(3ｂ)の上面所要箇所には受け片(2ｅ)に対する係止の強力化を図るための突条(3ｄ)を形成して成る請求項１乃至請求項６の何れかに記載のペットボトルキャップに装着される販促品収容用容器。
【請求項８】
抑止片(４)の垂下長さを、内周筒形成壁(２)の垂下長さの略半分程度とするような寸法的設定を施した請求項１乃至請求項７の何れかに記載のペットボトルキャップに装着される販促品収容用容器。
【請求項９】
蓋体(Ｂ)を容体部(Ａ)に対して装着した際に、その外周面が筒状容体(１)の内壁面に接触合致させて蓋体(Ｂ)の回動の円滑化を図るための案内用垂下片(５)を、当該蓋体(Ｂ)の下面周縁部寄りに形成して成る請求項１乃至請求項８の何れかに記載のペットボトルキャップに装着される販促品収容用容器。
【発明の詳細な説明】
【技術分野】
【０００１】
本発明は、お茶、コーヒーのような飲料用液体を入れて販売に供するためのペットボトルのキャップ部分に装着することにより、アクセサリー、模型、お菓子のような小物商品（販促品）を「おまけ」として収容しておくための「ペットボトルキャップに装着される販促品収容用容器」に関する。
【背景技術】
【０００２】
従来、清涼飲料等ペットボトルに入れた商品の販売に際し、販促品を付加して販売に供することがある。  然し乍、ペットボトルの首部に吊り下げる等、所要の仮止め手段に依存して販促品を取付けた場合、流通過程で取れてしまったりするような問題が生じるばかりでなく、このような形態であると自動販売機による販売ができず、専ら店頭販売用のものに限定される、と言うような問題が生じた。
【０００３】
このような問題を解決するものとして、図１２に示すように、容器本体底中央部に、ペットボトルのキャップに嵌合固定するための円筒状凹入部が形成されており、容器本体外周壁に、嵌合または螺合により結合された容器蓋を有するように構成した「ペットボトルキャップに装着される合成樹脂製小物容器」がある（例えば、特許文献１参照。）。  これは同図に示すように、合成樹脂製小物容器の容器本体ａと、合成樹脂製小物容器の容器蓋ｂとから成り、販促品（販売促進のためのおまけ的商品）は当該合成樹脂製小物容器の容器本体ａ内に収容すると共に容器蓋ｂで覆っておくような形態で販売に供するものである。  
【０００４】
【特許文献１】特開２００４−２５６１４７号公報
【発明の開示】
【発明が解決しようとする課題】
【０００５】
上記した従来例の場合、合成樹脂製小物容器の容器本体ａをペットボトルのキャップに対して嵌合固定するように構成したものであり、当該嵌合固定は輸送中及び販売機による販売時の衝撃で外れないように、比較的強めの嵌合固定を要するものであった。
【０００６】
従って、販促品に対する保護は極めて良好に行われ、自動販売機による販売にも齟齬をきたすことがないが、購入者が飲用するに際し、当該合成樹脂製小物容器を取外そうとした場合、その嵌合固定がきついために取り外しに強い力を要し、婦女子等にあってはその取り外しに窮してしまうと言うような事態が間々生じることを余儀なくされた。  すなわち、容器蓋ｂの取り外しは比較的容易に行われるが、飲用に際する容器本体ａの取り外しは、その嵌合固定の強力性から強い力で引っ張ることを要求され、従って、上記のように力の弱い婦女子等にあっては、これを取外すことがで出来ないというような場合が生じてしまうこともあつた。
【０００７】
本発明はこのような従来の問題を解決した新規の「ペットボトルキャップに装着される合成樹脂製小物容器」の提供を図ったものである。
【課題を解決するための手段】
【０００８】
本発明は請求項１に記載のように、中心部分にペットボトルのキャップＣ部分の下端縁をスナップ的に受け入れるための所要数の縦割り状内周筒形成壁２を設けた容体部Ａと、当該容体部Ａの上面に着脱自在に取付けるための蓋体Ｂとから成り、当該容体部Ａに対して蓋体Ｂを締着固定した状態にあっては、容体部Ａに設けた上記縦割り状内周筒形成壁２の背面側に、蓋体Ｂ側に設けた抑止片４が擦り合わせ的に合致接触し、これにより、当該縦割り状内周筒形成壁２の外方向への反りを規制してキャップＣ部分の下端縁に対するスナップ的嵌着の強力化を図り、当該蓋体Ｂを回動させてその締着固定を解消した状態にあっては、上記した抑止片４による擦り合わせ的な合致接触を解除させて、容体部Ａの上記スナップ的嵌着を緩和させることによって、容体部Ａの取り外しの容易化が図られるように構成したペットボトルキャップに装着される販促品収容用容器に係るものである。
【０００９】
そして、本発明は請求項２に記載のように、キャップＣ部分の下端縁に対するスナップ的受け入れを行うための内向き鈎状部2ｃを下端に形成した所要数の縦割り状内周筒形成壁２を、筒状容体1の中心部に形成支持すると共に、当該縦割り状内周筒形成壁２の上端部側方に、外向き方向に向かって連設した受け片2ｅを形成して成る容体部Ａと、
前記した筒状容体１の外周と合致する外周寸法を具えた盤体３の内縁に、当該容体部Ａにおける縦割り状内周筒形成壁２と対応するような形態で係合用凹部3ａ形成すると共に、当該係合用凹部3ａの半部には、当該容体部Ａにおける受け片2ｅの下面側に突入させて係止させるための係止片3ｂを連設し、更に、当該係止片3ｂの前端縁に連なるように抑止片4を垂設して成る蓋体Ｂとを具え、
容体部Ａに対して蓋体Ｂを締着固定するために、蓋体Ｂに設けた各係止片3ｂを容体部Ａに設けた受け片2ｅの下面側に突入させるように蓋体Ｂを回動させた際、上記抑止片４が容体部Ａに設けた各縦割り状内周筒形成壁２の背面側に擦り合わせ的に合致接触して、夫々の内周筒形成壁２に対する外側方向への反り阻止を図ることにより、ペットボトルのキャップＣ部分の下端縁に対するスナップ的係合の強化が図られるように構成したペットボトルキャップに装着される販促品収容用容器に係るものである。
【００１０】
本発明は請求項３に記載のような構成、すなわち、縦割り状内周筒形成壁２の上縁の一半部にブリッジ片2ｄの一端を連設すると共に、当該ブリッジ片2ｄの他端を、筒状容体１の上縁に対して連設することにより、当該縦割り状内周筒形成壁２を筒状容体１の中心部に固定するように構成した請求項１または請求項２の何れかに記載のペットボトルキャップに装着される販促品収容用容器を実施の態様とする。
【００１１】
本発明は請求項４に記載のような構成、すなわち、キャップＣ部分の下端縁をスナップ的に受け入れるための内向き鈎状部2ａを、上縁はキャップＣ部分の下縁を係止するに適した顎状水平面2ｂとすると共に、その内周面は上記スナップ的受入を容易化するために内向き斜状縁2ｃとするように構成した請求項１乃至請求項３の何れかに記載のペットボトルキャップに装着される販促品収容用容器を実施の態様とする。
【００１２】
本発明は請求項５に記載のような構成、すなわち、スナップ的受入に際する縦割り状内周筒形成壁２の外方への反り及び復元という動きを生じさせるために、当該縦割り状内周筒形成壁２を連設する容体部Ａ全体を弾力性のある合成樹脂材料で形成するように構成した請求項１乃至請求項４の何れかに記載のペットボトルキャップに装着される販促品収容用容器を実施の態様とする。
【００１３】
本発明は請求項６に記載のような構成、すなわち、係合用凹部3ａの一半部に、容体部Ａにおける受け片2ｅの下面側に突入させて係止させるための係止片3ｂを連設し、当該係合用凹部3ａの他半部の空間部分は、容体Ａ側に設けた受け片2ｅ部分を受け入れて、当該係止片3ｂの突入係止の待ち受け状態に安定させるように構成した請求項１乃至請求項５の何れかに記載のペットボトルキャップに装着される販促品収容用容器を実施の態様とする。
【００１４】
本発明は請求項７に記載のような構成、すなわち、係止片3ｂの先端は、受け片2ｅの内側に対する突入の円滑化を図るための上向き斜状のテーパー縁3ｃを形成すると共に、当該係止片3ｂの上面所要箇所には受け片2ｅに対する係止の強力化を図るための突条3ｄを形成して成る請求項１乃至請求項６の何れかに記載のペットボトルキャップに装着される販促品収容用容器を実施の態様とする。
【００１５】
本発明は請求項８に記載のような構成、すなわち、抑止片４の垂下長さを、内周筒形成壁２の垂下長さの略半分程度とするような寸法的設定を施した請求項１乃至請求項７の何れかに記載のペットボトルキャップに装着される販促品収容用容器を実施の態様とする。
【００１６】
本発明は請求項９に記載のような構成、すなわち、蓋体Ｂを容体部Ａに対して装着した際に、その外周面が筒状容体１の内壁面に接触合致させて蓋体Ｂの回動の円滑化を図るための案内用垂下片５を、当該蓋体Ｂの下面周縁部寄りに形成して成る請求項１乃至請求項８の何れかに記載のペットボトルキャップに装着される販促品収容用容器を実施の態様とする。
【発明の効果】
【００１７】
本発明は請求項1に記載のような構成を採用したから、予め販促品を入れてある容体部Ａのペットボトルに対する取付けは、容体部Ａに設けた上記縦割り状内周筒形成壁２の背面側に、蓋体Ｂ側に設けた抑止片４が擦り合わせ的に合致接触し、これにより、当該縦割り状内周筒形成壁２の外方向への反りを規制してキャップＣに対するスナップ的嵌着の強力化が図られるため、その取付けは極めて確固たるものとされる。従って、自動販売機による販売中、或いは輸送中にこれば外れてしまうような事態発生をよく防止することとなる。
【００１８】
そして、購入者が当該容体部Ａを外す際は、蓋体Ｂを緩めることにより、抑止片４による擦り合わせ的な合致接触を解除させて、容体部Ａの上記スナップ的嵌着が緩和されることとなるため、その取り外しは婦女子のような非力なものであっても容易に達成され、販促品の取り出し、及びキャップを外しての飲用上の困難性が排除される。
【００１９】
本発明は請求項２に記載のような構成を採用したから、請求項１の構成からもたらされるのとほぼ同じ作用効果を奏することとなる。
そして、縦割り状内周筒形成壁２の下端にキャップＣの下端縁部分に対するスナップ的受け入れを行うための内向き鈎状部2ｃを形成したから、キャップＣの下端縁部分に対するスナップ的受入の確実化が図られる。
更に、容体部Ａに対して蓋体Ｂを締着固定するために、蓋体Ｂに設けた各係止片3ｂを容体部Ａに設けた受け片2ｅの下面側に突入させるように構成したから、容体部Ａに対する蓋体Ｂの締着が極めて安定かつ確固たるものとされる。  そして、このような蓋体Ｂの締着の安定化に基づき、抑止片４の各縦割り状内周筒形成壁２の背面側に対する擦り合わせ的に合致接触の保持目的が極めて良好かつ確実に果されることとなり、落下等衝撃的振動が生じても、当該合致接触性の不測の解消と言うような事態発生を皆無とする。
【００２０】
本発明は請求項３に記載のような構成、すなわち、縦割り状内周筒形成壁２の上縁の一半部にブリッジ片2ｄの一端を連設すると共に、当該ブリッジ片2ｄの他端を、筒状容体１の上縁に対して連設することにより、当該縦割り状内周筒形成壁２を筒状容体１の中心部に固定するように構成したから、当該縦割り状内周筒形成壁２の筒状容体１の中心部に対する固定が極めて安定して行われると同時に、蓋体の締着方向へ回した際に、当該ブリッジ片2ｄを蓋体Ｂに設けた係止片3ｂとが同一平面上に位置するように設定することに依り、その係止片3ｂの先端が当該ブリッジ片2ｄに衝接して一種のストッパー的役割を果すこととなる。
【００２１】
本発明は請求項４に記載のような構成、すなわち、キャップＣ部分の下端縁をスナップ的に受け入れるための内向き鈎状部2ａを、上縁はキャップＣ部分の下縁を係止するに適した顎状水平面2ｂとすると共に、その内周面は上記スナップ的受入を容易化するために内向き斜状縁2ｃとするように構成することに依り、当該スナップ的係合は、容体部Ａの取付けに際しては容易に行われるが、販売時の当該取付け状態での不測の離脱と言うような事態発生を皆無とするような極めて確固たるものとされる。
【００２２】
本発明は請求項５に記載のような構成、すなわち、スナップ的受入に際する縦割り状内周筒形成壁２の外方への反り及び復元という動きを生じさせるために、当該縦割り状内周筒形成壁２を連設する容体部Ａ全体を弾力性のある合成樹脂材料で形成するように構成することにより、縦割り状内周筒形成壁２の外方への反り及び復元作動の安定化及び確実化が図られる。
【００２３】
本発明は請求項６に記載のような構成、すなわち、係合用凹部3ａの一半部に、容体部Ａにおける受け片2ｅの下面側に突入させて係止させるための係止片3ｂを連設し、当該係合用凹部3ａの他半部の空間部分は、容体Ａ側に設けた受け片2ｅ部分を受け入れて、当該係止片3ｂの突入係止の待ち受け状態に安定させるように構成することによって、当該係止片3ｂと受け片2ｅとの位置関係が極めて正確な状態に保たれることなり、従って、これの食い違いに基づく蓋体Ｂの回動の阻害化と言うような問題発生を皆無とする。
【００２４】
本発明は請求項７に記載のような構成、すなわち、係止片3ｂの先端は、受け片2ｅの内側に対する突入の円滑化を図るための上向き斜状のテーパー縁3ｃを形成する
ことにより、受け片2ｅの内側に対する係止片3ｂの突入のスムーズ化すなわち、蓋体Ｂの回転の円滑化が図られ、そして、係止片3ｂの上面所要箇所には受け片2ｅに対する係止の強力化を図るための突条3ｄを形成することにより、蓋体Ｂの回動時及び回動後における「ガタツキ」の防止化が図られることとなる。
【００２５】
本発明は請求項８に記載のような構成、すなわち、抑止片４の垂下長さを、内周筒形成壁２の垂下長さの略半分程度とするような寸法的設定を施すことにより、内周筒形成壁２に対するスナップ的係合時に必要とする反りの発生を適正化が図られる。
【００２６】
本発明は請求項９に記載のような構成、すなわち、蓋体Ｂを容体部Ａに対して装着した際に、その外周面が筒状容体１の内壁面に接触合致させて蓋体Ｂの回動の円滑化を図るための案内用垂下片５を、当該蓋体Ｂの下面周縁部寄りに形成することにより、蓋体Ｂの回動同は極めて安定かつ円滑に行われることとなる。
【発明を実施するための最良の形態】
【００２７】
本発明は図２乃至図４に示すような容体部Ａと、図５乃至図７に示すような蓋体Ｂとで構成され、図１に示すように当該容体部ＡをペットボトルのキャップＣの下端縁に嵌合させて固定すると共に、その上面は蓋体Ｂで当該固定の安定化を図り、販促品（販売促進のためのおまけ的商品）Ｄは同図に示すように容体部Ａ内の上部寄り、すなわち、容体部Ａの内壁とキャップＣ部分の外面との間に位置させるようにして収装しておくものである。  なお、図１においてはキャップＣの上端部分が露出状態となっているが、これは使用状態の一例を示したに過ぎず、キャップＣ全体が容体部ａ内に隠されてしまうような形態で実施する場合もある。
【００２８】
そして、本発明の特徴とするところは、容体部Ａに対して蓋体Ｂを装着した状態で容体部ＡをキャップＣ部分に対してスナップ的に嵌着させ、飲用に際する容体部Ａの取り外しに際しては、蓋体Ｂを回動させてこれを取外すことにより、容体部Ａの上記スナップ的嵌着力が緩和されて、その取り外しの容易性が図られるように構成したことにある。  
以下、本発明の構成を図面に示す実施例について詳細に説明する。
【００２９】
上記した容体部Ａであるが、これは次のような構成を有するものである。  すなわち、図２乃至図４において、１は筒状容体であって、その中心部にはペットボトルのキャップＣの外周面を囲うような形態の縦割り状内周筒形成壁２が設けられている。  なお、図示の実施例にあっては、当該筒形成壁２は三分割された形態としてあるが、これ以外、例えば二分割または四分割等適宜の分割形態を採ることも可能とする。
【００３０】
2ａは縦割り状内周筒形成壁２の下端に形成した内向き鈎状部であって、ペットボトルのキャップＣ部分の下端縁（ペットボトルのキャップ受け用突条部分を含む）をスナップ的に受け入れるためのものである。  従って、当該鈎状部2ａは図４に示すように上縁はキャップＣ部分の下端縁に対して係止させるための顎状水平面2ｂを形成すると共に、その内周面は上記スナップ的受入を容易化するために内向き斜状縁2ｃとするように構成してある。  そして、当該スナップ的受入に際しては、縦割り状内周筒形成壁２の外方への反り及び復元という動きを必要とするため、容体部Ａは上記縦割り状内周筒形成壁２を含めてその全体を一体形成する関係上、比較的弾力性のある合成樹脂材料で形成しておくことが好ましい。
【００３１】
なお、本発明に於いて、上記したスナップ的係合とは次のような形態を言うものである。  すなわち、縦割り状内周筒形成壁２の下端側から、ペットボトルのキャップＣの頂面部周縁を内向き鈎状部2aに圧接させてこれを外方に拡開させるようにして強圧的に差し込むことにより、当該縦割り状内周筒形成壁２に対してこれを外方に拡開するような反りを生じさせ、この状態で当該ペットボトルを更に差し込むことにより、そのキャップＣ部分が当該内向き鈎状部2aを乗り越えて通過することにより、上記内向き鈎状部2aに対する圧接が開放されて、縦割り状内周筒形成壁２の外方への反りが解消され（縦割り状内周筒形成壁２の復元がなされ）、当該鈎状部2aの顎状水平面2ｂの先端がキャップＣの下端縁寄り部分（図示の実施例にあってはペットボトルのキャップ受け用突条部分）に係止され、その引抜が阻止された状態に保持される。  
そして、この状態に於いては、ペットボトルのキャップＣ部分の下端縁が鈎状部2aの顎状水平面2ｂに依ってその引き抜き方向の動きが仮止め的に阻止されているだけに過ぎず、ペットボトル側を強く下方に引っ張るか或いは容体部Ａ側を上方に強く引っ張ることにより、鈎状部2aに対して強い力が働き縦割り状内周筒形成壁２を外方に反らせることにより、上述の逆作動に基づき当該係合は解消されて両者の離脱が図られるように構成してある。
このように、強圧的な力に基づき「係合」及び「離脱」が行われるような係合形態が、被服のスナップの係合に類するものであるため、本発明に於いては上記したようなキャップＣに対する係合をスナップ的係合と称したものである。
そして、本発明にあっては当該スナップ的係合の解消を、通常状態では阻止するようにするための手段として、後述するような蓋体Ｂを介して制御するように構成したことを特徴とするものである。
【００３２】
2ｄは上記した縦割り状内周筒形成壁２の上縁の一半部に連設した外向きブリッジ片であって、これを筒状容体１の上縁に対して連設することにより、筒状容体１の中心位置での当該縦割り状内周筒形成壁２の固定が、極めて安定した状態で図られるように構成してある。
【００３３】
そして、当該ブリッジ片2ｄの存在は、後述するように、蓋体Ｂを締着方向へ回動させた際に、その係止片3ｂの先端が当該ブリッジ片2ｄに衝接してその回動を停止させるような一種のストッパー的役割を果すこととなる。
【００３４】
2ｅは受け片であって、上記ブリッジ片2ｄの側方、すなわち、縦割り状内周筒形成壁２の上端部側方に、外向き方向に連設されている。  そして、当該受け片2ｅは後述するようにして蓋体Ｂに対する締着（取り付け）を司るためのものである。
【００３５】
次に、本発明における蓋体Ｂであるが、これは次のような構成を有するものである。  すなわち、図５乃至図７において、３はリング状盤体であって、その外周縁は前述した筒状容体１の外周と合致するような寸法、換言すると、容体部Ａと蓋体Ｂとはその直径が等しくすするような寸法的設定が成されている。
【００３６】
3ａはリング状を呈する盤体３の内縁に形成した係合用凹部であって、既述した容体部Ａにおける縦割り状内周筒形成壁２と対応するような形態で形成されている。  そして、当該係合用凹部3ａの一半部には、既述した容体部Ａにおける受け片2ｅの下面側に突入させて係止させるための係止片3ｂが連設されている。  また、当該係止片3ｂの先端は、受け片2ｅ下面がわ、すなわちその内側に対する突入の円滑化を図るために上向き斜状のテーパー縁3ｃを形成すると共に、当該係止片3ｂの上面所要箇所には受け片2ｅの上面に対する係止の強力化（圧接化）を図るための突条3ｄが形成されている。
【００３７】
そして、当該係合用凹部3ａの一半部には前述したように係止片3ｂが連設されているわけであるが、残りの他半部の空間部分は、容体Ａ側に設けた受け片2ｅ部分を受け入れて、当該係止片3ｂの突入係止の待ち受け状態に安定させるように構成してある。
【００３８】
なお、盤体３をリング状に形成したのは、その中央部分からペットボトルのキャップＣ部分が突出する場合であっても、これを妨げないためからであり、当該キャップＣ部分を完全に隠蔽するような形態の場合は、これを平板状なものを用いるように構成することも可とするが、この場合は下記する係合用凹部3ａ及び係止片3ｂの形成も上面閉鎖形態で行わなければならないので、型抜き成形上の困難性が伴うため、図示のようなリング状の盤体とすることが好ましい。
【００３９】
上記した係合用凹部3ａは、既述した容体部Ａの縦割り状内周筒形成壁２と対応するものであり、図示の実施例にあっては、三分割された形態の筒形成壁２と対応させて３箇所設けるように構成してある。  然し乍、当該縦割り状内周筒形成壁２を例えば二分割または四分割等のような適宜の分割形態を採る場合は、当該係合用凹部3ａの形成箇所もこれと対応した形態とするようにして実施される。
【００４０】
上記した蓋体Ｂは、容体部Ａの上面を覆うように合致させると共に、これをやや回動させることにより、当該蓋体Ｂの各係止片3ｂが、容体部Ａの受け片2ｅの下面側に潜り込ませることにより、両者の締着が成されるように構成されている。  すなわち、第８図に示す状態に於いて、第９図に示すように蓋体Ｂを半時計方向に回動させることにより、両者の装着固定が図られるように構成してある。
【００４１】
そして、上記のように蓋体Ｂを締着方向へ回動させた際に、その係止片3ｂの先端が当該ブリッジ片2ｄに衝接してその回動を停止させられるように構成してある。  すなわち、前述したブリッジ片2ｄは既述したように縦割り状内周筒形成壁２に対する取付け用としての役割を果たすと同時に、ストッパー的役割をも果すように構成されている。  これは、当該係止片3ｂの位置とブリッジ片2ｄの位置とが同一平面状に存在するように構成してあるためである。
【００４２】
4は上記した係止片3ｂの前端縁に連なるように垂設した抑止片であって、容体部Ａに対して蓋体Ｂを装着固定した状態、すなわち、蓋体Ｂの各係止片3ｂが容体部Ａの受け片2ｂの下面側に突入させた状態に於いて、当該抑止片４は容体部Ａにおける各縦割り状内周筒形成壁２の背面側に擦り合わせ的に合致接触し、夫々の内周筒形成壁２の外側方向への反りの阻止、すなわち、ペットボトルのキャップＣ部分の下端縁に対するスナップ的係合力（嵌着力）の強化が図られるように構成してある（10図および図11参照）。
【００４３】
この状態にあっては各縦割り状内周筒形成壁２の開き方向への反りは殆ど規制されており、従って、業者側による容体部Ａの取付けは、縦割り状内周筒形成壁２の下端に形成した内向き鈎状部2ａの内周面が内向き斜状縁2ｃとしてあるために強く押し込むことによって嵌着可能（取付け可能）とされるが、このようにして取付けられた当該容体部Ａの取り外しは、当該内向き鈎状部2ｃの顎状水平面2ｂの存在に基づき全く不可能とされる。
【００４４】
そして、当該抑止片４は後述するように、容体部Ａにおける各縦割り状内周筒形成壁２の反りをある程度規制して（取付け時のスナップ的嵌着が許容化される程度の反りに規制して）、キャップＣに対するスナップ的係合の強化を図るものであるため、当該内周筒形成壁２の外方向への反りに対する完全阻止とならないように、その垂下長さを、内周筒形成壁２の垂下長さより少ない長さ、例えば図示の実施例に示すように（図1０及び図11参照）略半分程度の垂下長さとするような寸法的設定が成されている。
【００４５】
５はリング状盤体３の下面の周縁寄り部分に設けた案内用垂下片であって、蓋体Ｂを容体部Ａに対して装着する際、当該案内用垂下片５が筒状容体１の内壁面に接触し、当該蓋体Ｂの締着又は開放方向への回動運動の安定化及び円滑化を図るためのものである。  従って、当該案内用垂下片５の外面は、筒状容体１の内壁面と合致する弧状面とするように構成してある。
【００４６】
本発明に係る「ペットボトルキャップに装着される合成樹脂製小物容器」は、容体部Ａに対して蓋体Ｂを締着した状態に保つと共に、当該容体部Ａ内に販促品Ｄを収容した状態で、ペットボトルのキャップＣ部分にスナップ的に装着して販売に供するものである（第１図参照）。
【００４７】
そして、上記のようなメーカー側による装着操作は、容体部ＡをペットボトルのキャップＣに対してその上方から強く差し込むことにより行われる。  これは、係止片3ｂの三分割された形態の筒形成壁２の下端に形成されている当該鈎状部2ｃが、図４に示すように上縁はキャップＣ部分の下端縁を係止するように顎状水平面2ｂとすると共に、その内面は上記スナップ的受入を滑り込ませるような円滑性が奏されるような内向き斜状縁2ｅとするように構成してあるため、当該キャップＣが当該内向き斜状縁2ｅに沿って差し込まれる際に、各係止片3ｂに反りが生じ、当該キャップＣに対するスナップ的受入が円滑に行われることとなる。
【００４８】
この時、容体部Ａと蓋体Ｂとの関係であるが、蓋体Ｂ側の各係止片3ｂが、容体部Ａ側の受け片2ｂの下面側に潜り込ませるように回動させておくことにより、両者の締着が成されるように構成されている。  そして、この状態に於いては、蓋体Ｂ側の各抑止片４が容体部Ａ側の各縦割り状内周筒形成壁２の外面側に擦り合わせ的接触が成されているため、当該内周筒形成壁２の外方への反りがある程度規制される結果、上記したスナップ的係合には強めの力を要し、そのため、その係合の強力化が図られ、輸送その他販売上の取扱の最中に容体部ＡがキャップＣから外れてしまうような事態発生が回避される。
【００４９】
次に、購入者による本発明に係る小物容器の取り外しであるが、これは蓋体Ｂを回動させることにより、すなわち、蓋体Ｂ側の各係止片3ｂを、容体部Ａ側の受け片2ｂの下面側から離脱させるように回動させることにより、両者の係合が解消され、蓋体Ｂの取り外しが許容化される。
【００５０】
そして、このような蓋体Ｂの取り外しに基づき、容体部Ａ側の割り状内周筒形成壁２に対する反りを規制するための抑止片４が外れるため、当該割り状内周筒形成壁２の反り抑制作用が解消され、キャップＣに対するスナップ的装着力の弱化が図られることとなる。  従って、容体部Ａの取り外しは、力の弱い婦女子によっても簡単に行われることとなる。
【００５１】
そして、この状態で販促品Ｄの取り出し、及びキャップＣを開けての飲用がなされることとなる。
【００５２】
なお、容体部Ａと蓋体Ｂとの関係であるが、これは両者の完全分離を図る必要は必ずしもない。  すなわち、蓋体Ｂを回動させることにより、上述したように「蓋体Ｂ側の各係止片3ｂの容体部Ａ側の受け片2ｂの下面側からの離脱」、並びにこれに伴う「容体部Ａ側の割り状内周筒形成壁２に対する反りを規制するための抑止片４の離脱」を図ることにより、上述したような「スナップ的装着力の軟化」という目的が達成されるため、容体部Ａから蓋体Ｂを完全分離することなく、本発明に係る販促品収容用容器を取外すことができる。
【００５３】
上述したような蓋体Ｂに対する取扱は、あくまでも商品購入者側において任意に選択される事項に属するものであり、本発明の特徴とする点は、前述したようなスナップ的係合の強化操作と、これの解消操作を、蓋体Ｂの回動に基づき制御するように構成した点に存するものである。
【図面の簡単な説明】
【００５４】
【図１】ペットボトルに対して取付けた状態を示す本発明品の説明用正面図である。
【図２】本発明における要旨部品たる容体部を表した斜視図である。
【図３】同上底面図である。
【図４】図３におけるＸ−Ｘ線断面図である。
【図５】本発明における要旨部品たる蓋体を表した平面図である。
【図６】上面側から見た状態を表した上記蓋体を表した斜視図である。
【図７】下面側から見た状態を表した上記蓋体を表した斜視図である。
【図８】蓋体が開かれた状態を表した本発明の平面図である。
【図９】同上閉められた状態を表した本発明の平面図である。
【図１０】蓋体が開かれた状態を表した作動説明用断面図である。
【図１１】蓋体が閉じられた状態を表した作動説明用断面図である。
【図１２】従来例を表した説明用斜視図である。
【符号の説明】
【００５５】
Ｃ  ペットボトルのキャップ
Ｄ  販促品
Ａ  容体部
１  筒状容体  
２  縦割り状内周筒形成壁
2ａ  内向き鈎状部
2ｂ  顎状水平面
2ｃ  内向き斜状縁
2ｄ  ブリッジ片
2ｅ  受け片
Ｂ  蓋体
３  リング状盤体
3ａ  係合用凹部
3ｂ  係止片
3ｃ  テーパー縁
3ｄ  突条
４  抑止片
５  案内用垂下片
【図１】
2010013138.tif 000003
【図２】
2010013138.tif 000004
【図３】
2010013138.tif 000005
【図４】
2010013138.tif 000006
【図５】
2010013138.tif 000007
【図６】
2010013138.tif 000008
【図７】
2010013138.tif 000009
【図８】
2010013138.tif 000010
【図９】
2010013138.tif 000011
【図１０】
2010013138.tif 000012
【図１１】
2010013138.tif 000013
【図１２】
2010013138.tif 000014